(57)【要約】      （修正有）【課題】遊技台前面枠の開放を信頼性高く検出でき、且つ遊技台の型番の違いに関わらず簡単な構成で装着できる遊技機前面枠の開放検出スイッチユニットを提供すること。【解決手段】遊技機枠体に対して開閉可能に設けられた前面枠４の開放を検出する遊技機前面枠の開放検出スイッチユニット１であって、遊技機枠体における第１部材６に固定するための固定部材７と、固定部材７に取り付けられアクチュエータ８２の押圧操作に応じてオンオフの切替え動作を行う端子対Ａを複数備えたスイッチ装置８と、一端が固定部材７に取り付けられ前面枠４の背面に設けられた第２部材５との当接によりアクチュエータ８２を押圧するように付勢される長尺の弾性部材９とを有する構成とする。【選択図】      図２
2006191984.tif 000002
【特許請求の範囲】
【請求項１】
遊技機枠体に対して開閉可能に設けられた前面枠の開放を検出する遊技機前面枠の開放検出スイッチユニットであって、前記遊技機枠体における第１部材に固定するための固定部材と、前記固定部材に取り付けられアクチュエータの押圧操作に応じてオンオフの切替え動作を行う端子対を複数備えたスイッチ装置と、一端が前記固定部材に取り付けられ前記前面枠の背面に設けられた第２部材との当接により前記アクチュエータを押圧するように付勢される長尺の弾性部材とを有することを特徴とする遊技機前面枠の開放検出スイッチユニット。
【請求項２】
前記スイッチ装置は、前記アクチュエータの押圧操作に応じてオンオフの切替え動作を行う端子対を一つのケースに複数備えるマイクロスイッチである請求項１記載の遊技機前面枠の開放検出スイッチユニット。
【請求項３】
前記スイッチ装置は、アクチュエータの押圧操作に応じてオンオフの切替え動作を行う端子対を一つのケースに一つ備えるマイクロスイッチを、複数個並列に配設した並列スイッチ体と、前記複数個のマイクロスイッチにおける各アクチュエータの長手方向に直行するように各アクチュエータに取り付けられたアーム部材とを備えてなる請求項１記載の遊技機前面枠の開放検出スイッチユニット。
【請求項４】
前記固定部材には、前記長尺の弾性部材の付勢方向と直交する方向への前記長尺の弾性部材の移動を規制する規制部が設けられてなる請求項１から請求項３のいずれかに記載の遊技機前面枠の開放検出スイッチユニット。
【発明の詳細な説明】
【技術分野】
【０００１】
本発明は、パチンコ機等の遊技機の前面枠が開放されたことを検出するための遊技機前面枠の開放検出スイッチユニットに関する。
【背景技術】
【０００２】
近年、パチンコ店等の遊技場において、遊技機の前面枠を開けて内部機器を改造または操作し、不当な利益を得る不正行為が多発している。例えばパチンコ機への裏ＲＯＭ取付けである。パチンコ機においては、遊技板や操作ハンドルの設けられた前面枠がパチンコ機木枠に対して開閉可能に取り付けられており、通常は鍵が掛けられている。裏ＲＯＭ取付けとは、この鍵を巧みにこじ開けるとともに前面枠を開けて、中の正規なＲＯＭを不正なＲＯＭにすり替え、出球率を良くして多数のパチンコ玉を搾取するという手口である。このような不正行為を防止するために、例えば特開平１０−２７２２３４号公報に示されるようなパチンコ機開放検出装置が提案されている。
【０００３】
図７は上記公報による従来のパチンコ機開放検出装置５０を示す側面一部断面図である。図７において、取付けの対象となるパチンコ機は、パチンコ機木枠に対して開閉可能な前面枠５１、前面枠５１の背面上部に取り付けられた賞品球タンク５２、及びパチンコ機木枠の上部に形成された島木台５３を備える。なお、図７（Ａ）は前面枠５１を閉めた状態を示し、図７（Ｂ）は前面枠５１を開けた状態を示す。
【０００４】
パチンコ機開放検出装置５０は、島木台５３に取り付けられたカバ−体５４、アクチュエータ５５Ａの押圧操作に応じてオンオフの切替動作を行う開放検出スイッチ５５、Ｊ１軸まわりの回動によりアクチュエータ５５Ａに当接する作動腕５６、Ｊ２軸まわりに回動可能に設けられた賞品球捕球筒５７、及び作動腕５６と賞品球捕球筒５７とを連動させる連動機構５８などを備えている。
【０００５】
図７において、パチンコ機の前面枠５１を開けると、賞品球タンク５２はＸ２方向に移動する。そして、賞品球捕球筒５７は賞品球タンク５２の内壁に当接し、Ｊ２軸まわりを反時計方向に回動する。このとき、連動機構５８の作用により、作動腕５６はＪ１軸まわりを反時計方向に回動する。その結果、作動腕５６はアクチュエータ５５Ａから離れ開放検出スイッチ５５はオンオフの切替動作を行う。
【０００６】
この開放検出スイッチ５５はリード線を介してインターフェイスカードに接続され、インターフェイスカードから転送されるオンオフ信号に基づいて、監視カメラ等の防犯装置の動作制御が行われる。このように、前面枠５１を開けたときは、直ちに開放検出スイッチ５５が作動し、これに接続された防犯装置が作動するので、店の損害発生を防止することができる。
【０００７】
【特許文献１】特開平１０−２７２２３４号公報
【発明の開示】
【発明が解決しようとする課題】
【０００８】
しかしながら、上記したパチンコ機開放検出装置５０における開放検出スイッチ５５は、オンオフの切替え動作を行う端子対を一つだけしか備えていなく、この端子対からのオンオフ信号だけがリード線を介してインターフェイスカードに取り込まれている。したがって、このリード線が断線したり、開放検出スイッチ５５の接点に接触不良が生じたりした場合には、そのパチンコ機の前面枠５１の開放に対する警報機能は全く無くなってしまい信頼性が乏しいという問題があった。
【０００９】
また、連動機構５８は、作動腕５６と賞品球捕球筒５７とを連動させるために、図示はしていないが、カム、ピン、軸など多くの部品を必要とする。更に、作動腕５６については、賞品球補給筒５７に応じた形状に加工する必要があり、異なる型番のパチンコ機には使用できず融通性に乏しいという問題があった。
【００１０】
本発明は、このような問題に鑑みてなされたものであり、遊技機前面枠の開放を信頼性高く検出でき、且つ遊技機の型番の違いに関わらず簡単な構成で装着できる遊技機前面枠の開放検出スイッチユニットを提供することを目的とする。
【課題を解決するための手段】
【００１１】
上述の課題を解決するために、請求項１の発明は、遊技機枠体３に対して開閉可能に設けられた前面枠４の開放を検出する遊技機前面枠の開放検出スイッチユニット１であって、前記遊技機枠体３における第１部材６に固定するための固定部材７と、前記固定部材７に取り付けられアクチュエータ８２の押圧操作に応じてオンオフの切替え動作を行う端子対Ａを複数備えたスイッチ装置８と、一端が前記固定部材７に取り付けられ前記前面枠４の背面に設けられた第２部材５との当接により前記アクチュエータ８２を押圧するように付勢される長尺の弾性部材９とを有する。
【００１２】
請求項１の発明によると、図４（Ａ）に示すように、前面枠４を閉めた状態では、第２部材５は弾性部材９をＸ１方向に付勢する。付勢された弾性部材９はアクチュエータ８２に当接してこれをＸ１方向に押圧する。その結果、アクチュエータ８２の押圧操作により、スイッチ装置８は図３（Ａ）のようにオンとなる。図４（Ｂ）に示すように、前面枠４を開けると、第２部材５はＸ２方向に移動し第２部材５による上記付勢は無くなる。これによりアクチュエータ８２は上記押圧操作を解放し、スイッチ装置８は図３（Ｂ）のようにオフとなる。なお、付勢を全く無くすのでなく弱めることで上記作用を達成してもよい。このように、前面枠４を開けたときと閉じたときとでスイッチ装置８のオンオフが切り替わるので、このオンオフ信号を取り込むことにより、前面枠４の開放の検出ができる。
【００１３】
開放検出スイッチユニット１は、前面枠４の開閉に応じてオンオフの切替え動作を行う端子対Ａを複数備えているため、いずれかのリード線２４が断線したり、スイッチ装置８のいずれかの接点に接触不良が生じたりした場合であっても、残りの端子対は有効な状態であり、これに接続された全ての防犯装置２３が機能を停止する可能性は極めて低く信頼性に優れる。
【００１４】
また、開放検出スイッチユニット１は、固定部材７、スイッチ装置８、及び長尺の弾性部材９を主要構成品としており、少ない部品点数で前面枠４の開放の検出ができる。更に弾性部材９は長尺とされており、第１部材６や第２部材５の位置や型式が異なる他の型番の遊技機であっても、特別な加工を要することなく、開放検出スイッチユニット１の第１部材６への取付け位置を適宜ずらすことにより、支障なく機能させることができ融通性に優れる。
【００１５】
請求項２の発明では、前記スイッチ装置８は、前記アクチュエータ８２の押圧操作に応じてオンオフの切替え動作を行う端子対Ａを一つのケース８１に複数備えるマイクロスイッチである。
【００１６】
請求項２の発明によると、オンオフの切替え動作を行う端子対Ａを一つのケース８１に複数備えるので、コンパクトな構成で信頼性高く開放検出を達成することができる。
【００１７】
請求項３の発明では、図６によく示されるように、前記スイッチ装置は、前記アクチュエータ８２Ｂの押圧操作に応じてオンオフの切替え動作を行う端子対を一つのケースに一つ備えるマイクロスイッチ８Ｂを、複数個並列に配設した並列スイッチ体８Ｓと、前記複数個のマイクロスイッチ８Ｂにおける各アクチュエータ８２Ｂの長手方向に直行するように各アクチュエータ８２Ｂに取り付けられたアーム部材９Ｓとを備えてなる。
【００１８】
請求項３の発明によると、付勢された弾性部材９はアーム部材９Ｓに当接して各マイクロスイッチ８Ｂのアクチュエータ８２Ｂを同時にＸ１方向に押圧する。その結果、各アクチュエータ８２Ｂはそれぞれに対応するばね式押ボタンを押圧し、各マイクロスイッチ８Ｂはオンとなる。このように、アクチュエータ８２Ｂの押圧操作によりオンオフ動作を行う端子対を一つ備える既存型のマイクロスイッチを用いているので製造コストが安くて済む。
【００１９】
請求項４の発明では、前記固定部材７には、前記長尺の弾性部材９の付勢方向と直交するＹ方向への前記長尺の弾性部材９の移動を規制する規制部７３が設けられてなる。
【００２０】
請求項４の発明によると、前記長尺の弾性部材９がＹ方向にずれることなくＸ方向だけに付勢されるので、スイッチ装置８のアクチュエータ８２を確実に押圧できる。
【発明の効果】
【００２１】
本発明によると、遊技機前面枠の開放を信頼性高く検出でき、且つ遊技機の型番の違いに関わらず簡単な構成で装着できる遊技機前面枠の開放検出スイッチユニットが提供される。
【発明を実施するための最良の形態】
【００２２】
［第１実施形態］
本発明に係るパチンコ機前面枠の開放検出スイッチユニットの第１実施形態について、図１から５を参照して説明する。図１は本発明に係るパチンコ機前面枠の開放検出スイッチユニット１を装着したパチンコ機２を示す図である。図１に示すように、パチンコ機２は、パチンコ機木枠３に対して開閉可能な前面枠４、前面枠４の背面上部に取り付けられた賞品球タンク５、及びパチンコ機木枠３の上部に形成された島木台６を備え、開放検出スイッチユニット１は木ねじなどによって島木台６に取り付けられる。
【００２３】
図２は開放検出スイッチユニット１を示す斜視図、図３は開放検出スイッチユニット１におけるマイクロスイッチ８の接点回路を示す図である。図２に示すように、開放検出スイッチユニット１は、ブラケット７、マイクロスイッチ８、コイルばね９及び調節ねじ１０を備える。
【００２４】
ブラケット７は、島木台６に固定するための島木用台座７１、マイクロスイッチ８を取り付けるためのスイッチ用台座７２、コイルばね９のＹ方向への移動を規制する規制爪７３、及び調節ねじ１０を取り付けるための調節ねじ用台座７４を備える。
【００２５】
マイクロスイッチ８は、図３によく示されるように、本体カバー８１、アクチュエータ８２、ばね式押ボタン８３、及び３つの端子対Ａ１〜Ａ３を備え、スイッチ用台座７２に取付けボルト７５により固定される。マイクロスイッチ８は、アクチュエータ８２によるばね式押ボタン８３の押圧操作に応じて各端子対Ａ１〜Ａ３のオンオフの切替え動作を同時に行う。
【００２６】
コイルばね９は、長さが１０ｃｍから１５ｃｍ程度でその長手方向と垂直な方向に付勢可能な長尺の弾性部材であり、一端はブラケット７の上部７７に固定され、他端は自由端とされる。調節ねじ１０は、調節ねじ用台座７４に取り付けられ、これを廻すことによりコイルばね９の付勢の強さを調節することができる。
【００２７】
開放検出スイッチユニット１は、次の条件を満たすように島木台６に取り付けられる。すなわち、前面枠４を閉めた状態でコイルばね９が賞品球タンク５の外壁によって付勢され、この付勢されたコイルばね９がアクチュエータ８２を押圧するように、且つ前面枠４を開けた状態で賞品球タンク５の外壁による上記付勢が無くなるという条件である。
【００２８】
次に、以上のように構成された開放検出スイッチユニット１の作用について図３，４を参照して説明する。図４は開放検出スイッチユニット１の作用を説明するための側面一部断面図である。図４（Ａ）は前面枠４を閉めたときの開放検出スイッチユニット１の状態を示し、図４（Ｂ）は前面枠４を開けたときの開放検出スイッチユニット１の状態を示す。
【００２９】
図４（Ａ）に示すように、前面枠４を閉めた状態では、賞品球タンク５の外壁はコイルばね９をＸ１方向に付勢する。付勢されたコイルばね９はアクチュエータ８２に当接してこれをＸ１方向に押圧する。その結果、アクチュエータ８２はばね式押ボタン８３を押圧し、マイクロスイッチ８は図３（Ａ）のようにオンとなる。なお、コイルばね９は、規制爪７３の作用により、Ｙ方向にずれることなくＸ方向だけに付勢されるので、スイッチ装置８のアクチュエータ８２を確実に押圧できる。
【００３０】
図４に（Ｂ）に示すように、前面枠４を開けると、賞品球タンク５の外壁はＸ２方向に移動し賞品球タンク５の外壁による上記付勢は無くなる。これによりアクチュエータ８２はばね式押ボタン８３の押圧を解放し、マイクロスイッチ８は図３（Ｂ）のようにオフとなる。このように、前面枠４を開けたときと閉じたときとでマイクロスイッチ８のオンオフが切り替わるので、端子対Ａ１〜Ａ３のオンオフ信号を取り込むことにより、前面枠４の開放の検出ができる。
【００３１】
図５は開放検出スイッチユニット１を用いたパチンコ機防犯システム２０を示す図である。図５に示すように、パチンコ機防犯システム２０は、パチンコ機２、開放検出スイッチユニット１、コネクタ２１、インターフェイスカード２２及び防犯装置２３を有する。防犯装置２３は、警報灯２３ａ、ビデオカメラ２３ｂ及びホストコンピュータ２３ｃからなる。開放検出スイッチユニット１におけるマイクロスイッチ８の各端子対Ａ１〜Ａ３は、リード線２４によりそれぞれ独立にコネクタ２１を介してインターフェイスカード２２に接続される。このように、コネクタ２１を介して接続されているため、パチンコ機２の入替えや修理を行う際に、簡単に上記接続を切り離すことができる。
【００３２】
インターフェイスカード２２は、他のパチンコ機２の開放検出スイッチユニット１からのオンオフ信号も取り込んでおり、それらのオンオフ信号に基づいて各防犯装置２３が動作する。すなわち、パチンコ機２の前面枠４を開けると、マイクロスイッチ８から送られる前面枠４の開放信号により、警報灯２３ａは点灯し、ビデオカメラ２３ｂは対応するパチンコ機を撮影して録画を開始し、ホストコンピュータ２３ｃは事務所に開放信号を転送するなどの処理を行う。このように、事務所用の防犯機器とホール用の防犯機器とに振り分けることで、防犯効果を高めることができる。
【００３３】
前述したように、開放検出スイッチユニット１は、前面枠４の開閉に応じてオンオフの切替え動作を行う端子対Ａを３つ備えているため、いずれかのリード線２４が断線したり、マイクロスイッチ８のいずれかの接点に接触不良が生じたりした場合であっても、残りの端子対は有効な状態であり、全ての防犯装置２３が機能を停止する可能性は極めて低く信頼性に優れる。
【００３４】
また、開放検出スイッチユニット１は、ブラケット７、マイクロスイッチ８、及び１本のコイルバネ９を主要構成品としており、少ない部品点数で前面枠４の開放の検出ができる。更にコイルばね９は長尺とされており、島木台６や賞品球タンク５の位置や型式が異なる他の型番のパチンコ機であっても、特別な加工を要することなく、開放検出スイッチユニット１の島木台６への取付け位置を適宜ずらすことにより、支障なく機能させることができ融通性に優れる。
［第２実施形態］
本発明に係るパチンコ機前面枠の開放検出スイッチユニットの第２実施形態について、図６を参照して説明する。
【００３５】
図６は第２実施形態の開放検出スイッチユニット１Ｂを示す背面一部断面図である。図６に示すように、開放検出スイッチユニット１Ｂは、第１実施形態の開放検出スイッチユニット１におけるマイクロスイッチ８に代えて、３つのマイクロスイッチ８Ｂを並列に配設した並列スイッチ体８Ｓ、及び複数個のマイクロスイッチ８Ｂにおける各アクチュエータ８２Ｂに取り付けられたアーム部材９Ｓを備える。
【００３６】
各マイクロスイッチ８Ｂは、アクチュエータ８２Ｂの押圧操作に応じてオンオフの切替え動作を行う一組の端子対を１つ備える既存型のものである。アーム部材９Ｓは、各アクチュエータ８２Ｂの長手方向に直行するように各アクチュエータ８２Ｂに、接着または溶接等の接合手段により取り付けられる。
【００３７】
第２実施形態の開放検出スイッチユニット１Ｂも第１実施形態の場合とほぼ同様な作用効果を有する。すなわち、前面枠４を閉めた状態では、賞品球タンク５の外壁はコイルばね９をＸ１方向（図４参照）に付勢する。付勢されたコイルばね９はアーム部材９Ｓに当接して各マイクロスイッチ８Ｂのアクチュエータ８２Ｂを同時にＸ１方向に押圧する。その結果、各アクチュエータ８２Ｂはそれぞれに対応するばね式押ボタンを押圧し、各マイクロスイッチ８Ｂはオンとなる。
【００３８】
前面枠４を開けると、賞品球タンク５はＸ２方向に移動し、賞品球タンク５の外壁による上記付勢は無くなる。これにより，各アクチュエータ８２Ｂはそれぞれのばね式押ボタンの押圧を解放し、各マイクロスイッチ８Ｂはオフとなる。このように、前面枠４を開けたときと閉めたときとで各マイクロスイッチ８Ｂのオンオフが切り替わるので、端子対のオンオフ信号を取り込むことにより、前面枠４の開放の検出ができる。
【００３９】
開放検出スイッチユニット１Ｂにおいても、アクチュエータ８２Ｂの押圧操作に応じてオンオフの切替え動作を行う端子対を複数備えるため、開放検出スイッチユニット１と同様な理由で信頼性に優れる。なお、開放検出スイッチユニット１Ｂによると、アクチュエータ８２Ｂの押圧操作によりオンオフ動作を行う端子対を一つ備える既存型のマイクロスイッチ８Ｂを用いているので、製造コストが安くて済む。
【００４０】
上の第１，２実施形態において、開放検出スイッチユニット１，１Ｂを取り付ける対象をパチンコ機としたが、パチスロ機やその他のゲーム機器とすることも可能である。また、コイルばね９に代えて、板ばねや竹の子ばねとすることも可能である。マイクロスイッチ８，８Ｂは前面枠４を閉めた状態でオン、開けた状態でオフとしたが、その逆とすることも可能である。また、マイクロスイッチ８，８Ｂとして、共通端子、常開端子及び常閉端子を１組として備えたものを用いてもよい。その他、開放検出スイッチユニット１，１Ｂの全体または各部の構成、構造、材質、個数などは、本発明の主旨に沿って適宜変更することができる。
【図面の簡単な説明】
【００４１】
【図１】本発明に係る第１実施形態のパチンコ機前面枠の開放検出スイッチユニットを装着したパチンコ機を示す図である。
【図２】開放検出スイッチユニットを示す斜視図である。
【図３】開放検出スイッチユニットにおけるマイクロスイッチの接点回路を示す図である。
【図４】開放検出スイッチユニットの作用を説明するための側面一部断面図である。
【図５】開放検出スイッチユニットを用いたパチンコ機防犯システムを示す図である。
【図６】本発明に係る第２実施形態のパチンコ機前面枠の開放検出スイッチユニットを示す背面一部断面図である。
【図７】従来のパチンコ機開放検出装置を示す側面一部断面図である。
【符号の説明】
【００４２】
１  開放検出スイッチユニット
４  前面枠
５  賞品球タンク（第２部材）
６  島木台（第１部材）
７  ブラケット（固定部材）
８  マイクロスイッチ（スイッチ装置）
８Ｂ  マイクロスイッチ
８Ｓ  並列スイッチ体
９  コイルばね（弾性部材）
８１  本体ケース（ケース）
８２  アクチュエータ
８２Ｂ  アクチュエータ
９Ｓ  アーム部材
Ａ１  端子対
Ａ２  端子対
Ａ３  端子対
【図１】
2006191984.tif 000003
【図２】
2006191984.tif 000004
【図３】
2006191984.tif 000005
【図４】
2006191984.tif 000006
【図５】
2006191984.tif 000007
【図６】
2006191984.tif 000008
【図７】
2006191984.tif 000009